(57)【要約】【課題】デジタル放送を受信するテレビジョン受信機において、チャンネルアップダウンキーで連続してチャンネルの切替えをしたときに、切替わり時間を短縮すると共に、瞬時に受信画像に切替わるような軽快な操作感のテレビジョン受信機を提供する。【解決手段】ＢＳデジタル受信手段と、地上デジタル受信手段と、受信した映像音声信号の一方を選択して出力する出力切替手段と、ＢＳデジタル受信手段と地上デジタル受信手段の受信チャンネルを連続してアップ若しくはダウンさせる制御や出力切替手段の切替え制御を行う制御手段とを備え、この制御手段が受信チャンネルをアップ若しくはダウンさせる制御を交互に行うと共に、その制御をしていない側の映像音声信号を選択して出力するように出力切替制御を行うことで、切替わり時間の短縮と共に、瞬時に受信画像に切替わるような軽快な操作感のテレビジョン受信機を提供できる。【選択図】図１
2006270369.tif 000002
【特許請求の範囲】
【請求項１】
ＢＳデジタル放送と地上デジタル放送とが受信でき、受信チャンネルを連続してアップ若しくはダウンして受信画像を表示可能なテレビジョン受信機において、
前記ＢＳデジタル放送を受信し、ＢＳデジタル映像音声信号を取得するＢＳデジタル受信手段と、
前記地上デジタル放送を受信し、地上デジタル映像音声信号を取得する地上デジタル受信手段と、
前記ＢＳデジタル映像音声信号と地上デジタル映像音声信号とが入力され、一方を選択して出力する出力切替手段と、
前記ＢＳデジタル受信手段と地上デジタル受信手段との受信チャンネルを連続してアップ若しくはダウンさせる制御と、前記出力切替手段の前記選択制御とを行う制御手段と、
を備え、
前記制御手段は、
前記ＢＳデジタル受信手段と前記地上デジタル受信手段に対して、交互に受信チャンネルをアップ若しくはダウンさせる制御を行うと共に、
前記選択制御は前記受信チャンネルをアップ若しくはダウンさせる制御をしない側のＢＳデジタル映像音声信号若しくは地上デジタル映像音声信号を選択する
ことを特徴とするテレビジョン受信機。
【発明の詳細な説明】
【技術分野】
【０００１】
本発明は、テレビジョン受信機に係り、特にＢＳデジタル放送と地上デジタル放送の両方を受信できるテレビジョン受信機に関する。
【背景技術】
【０００２】
テレビジョン受信機で見たい番組を探す際に、使用者は、本体やリモートコントロールのチャンネルアップキー、又はダウンキーを操作し、順送りに、又は逆送りに受信チャンネルを切替え、画面に表示された画像を確認して見たい番組を探すことが一般によく行われている。
【０００３】
近年、ＢＳデジタル放送と地上デジタル放送が開始され、両放送に対応した受信チューナを内蔵するテレビジョン受信機が普及している。このようなデジタル放送を受信するテレビジョン受信機では、通常、受信チャンネルを切替えたときに画像が表示されるまでの時間が、従来のアナログ放送を受信したときに比較してかなり長くなる（例えば１〜２秒程度）欠点を有している。
【０００４】
これはデジタル放送特有の信号に起因するもので、チューナの切替え時間や受信したトランスポートストリームを処理する時間、ＭＰＥＧ信号を復調する時間などが必要になるためであり、普通、安定した受信画像が得られるまでの時間は画面を真っ黒にミュートしている例が多い。
【０００５】
このような状態のテレビジョン受信機で、チャンネルアップ（又はダウン）キーを操作して受信チャンネルを切替えると、画面が黒く表示されている時間が長く、切替わりの間隔が遅くなるので、アナログ放送の受信時に比べると快適な操作感が損なわれ使用者がストレスを感じるという問題がある。
【０００６】
図３は、従来のデジタル放送を受信するテレビジョン受信機でチャンネルアップキーを操作したときの画面表示と受信機内部の動作を示した図である。この図で、（ａ）はアップキーの操作を、（ｂ）は表示画面の状態を、（ｃ）は受信部の動作を表している。まず、（ａ）のアップキー操作でキーが押されて選局が始まると、（ｃ）の受信部の動作は、チャンネルを切替えて安定な画像が得られるまでの切替え期間になる。このとき（ｂ）の画面表示はミュート期間として真っ黒になる。
【０００７】
次いで、１〜２秒後に受信部で安定な画像が得られると画面表示は受信した画像に切替わり表示される。受信画像の表示時間は、アップキーが継続して押されているときは予め所定値として設定しておいた時間（例えば１秒位）に、又、アップキーが押されていないときは、次にアップキーが押され選局が始まるまでの時間となる。この間に使用者は受信チャンネルの番組内容を画面で確認する。図は継続してアップキーが押され、次々に選局されている状態を示している。なお、受信チャンネルは予め受信可能なチャンネルがプリセットされているものとする。
【０００８】
このように、デジタル放送の受信においては、アップ（又はダウン）キーによるチャンネルの連続切替えでは、画面表示は頻繁に黒画面になり、又、切替え間隔が長くなるなどのために軽快な操作感が損なわれることが分る。
【０００９】
こうした従来のデジタル放送を受信するテレビジョン受信機の問題に対して、上記ミュート期間の表示画面を黒にせず、別途メモリーに記録しておいた静止画像を表示することにより、画像が途切れる時間を減少させて使用者のストレスを緩和する技術が提案されている（例えば、特許文献１参照）。
【特許文献１】特開２０００−４１１９７号公報  ：（松下）
【発明の開示】
【発明が解決しようとする課題】
【００１０】
しかしながら、特許文献１のように、チャンネル切替わり時のミュート期間に静止画を表示する技術では、切替え間隔が短縮されるものではないし、又、表示画像が静止画であるために画面が途切れる感じが残るという欠点があるので、アナログ放送のチャンネルを順次切替えたような軽快な操作感を提供できるものではない。
【００１１】
本発明は、このような従来の問題点に鑑みなされたものであり、その目的は、デジタル放送を受信するテレビジョン受信機において、チャンネルアップダウンキーで連続してチャンネルの切替えをしたときに、切替わり時間を短縮できると共に、瞬時に受信画像に切替わるような軽快な操作感の得られるテレビジョン受信機を提供することにある。
【課題を解決するための手段】
【００１２】
本発明は、上記課題を解決する手段として以下に記載の構成からなる。すなわち、
ＢＳデジタル放送と地上デジタル放送とが受信でき、受信チャンネルを連続してアップ若しくはダウンして受信画像を表示可能なテレビジョン受信機において、
前記ＢＳデジタル放送を受信し、ＢＳデジタル映像音声信号を取得するＢＳデジタル受信手段と、
前記地上デジタル放送を受信し、地上デジタル映像音声信号を取得する地上デジタル受信手段と、
前記ＢＳデジタル映像音声信号と地上デジタル映像音声信号とが入力され、一方を選択して出力する出力切替手段と、
前記ＢＳデジタル受信手段と地上デジタル受信手段との受信チャンネルを連続してアップ若しくはダウンさせる制御と、前記出力切替手段の前記選択制御とを行う制御手段と、
を備え、
前記制御手段は、
前記ＢＳデジタル受信手段と前記地上デジタル受信手段に対して、交互に受信チャンネルをアップ若しくはダウンさせる制御を行うと共に、
前記選択制御は前記受信チャンネルをアップ若しくはダウンさせる制御をしない側のＢＳデジタル映像音声信号若しくは地上デジタル映像音声信号を選択する
ことを特徴とするテレビジョン受信機である。
【発明の効果】
【００１３】
本発明に係るテレビジョン受信機によれば、内蔵しているＢＳデジタル放送受信部と地上デジタル放送受信部を同時に動作させ、チャンネルアップ（又はダウン）キーが押されたときには、受信チャンネルの切替えと出画の選択切替えとを交互に行うことにより、切替え直後の表示画面を黒画面にすることなく、次々と受信した画面を表示できるので、使用者にストレスのない軽快な操作感を与えることが可能となる。
【発明を実施するための最良の形態】
【００１４】
以下、本発明を実施するための最良の形態について、図面と共に説明する。
図１は本発明に係るテレビジョン受信機の一実施例を示すブロック図、図２は本発明の実施例において、チャンネルアップキーを操作したときの画面表示と受信機内部の動作を示した図である。
【００１５】
まず、図１を用いて本発明に係るテレビジョン受信機の構成を説明する。なお、図１はテレビジョン受信機全体の中で本発明に直接関係する個所のみを示したものである。テレビジョン受信機を構成するその他の部分は、良く知られた回路構成を用いて差し支えないので説明の簡略化のために省略する。
【００１６】
本実施例のテレビジョン受信機は、ＢＳデジタル放送を受信するＢＳデジタルＮＩＭ（Network Interface Module：規格化されたチューナ）１と地上デジタル放送を受信する地上デジタルＮＩＭ２の２つのチューナ部を有している。
上記２つのチューナは、夫々受信したデジタル放送の信号波を復調復号し、規格化されたＴＳ信号（Transport stream：伝送用多重化信号）に変換して、ＴＳデコーダ（１）３とＴＳデコーダ（２）５に夫々供給する。
【００１７】
ＴＳデコーダ（１）３では、入力されたＴＳ信号をデコード（復号）し、ＥＳ信号（Elementary Stream：ＭＰＥＧ符号化信号）に変換して、次のＭＰＥＧデコーダ（１）６に供給する。ＭＰＥＧデコーダ（１）６は、入力されたＥＳ信号を更にデコードしてＢＳデジタル放送の映像信号と音声信号を得る。
ＴＳデコーダ（２）５も同様に、入力されたＴＳ信号をデコードしてＥＳ信号に変換し、ＭＰＥＧデコーダ（２）７に供給する。ＭＰＥＧデコーダ（２）７は、入力されたＥＳ信号を更にデコードして地上デジタル放送の映像信号と音声信号を得る。
【００１８】
ＭＰＥＧデコーダ（１）６とＭＰＥＧデコーダ（２）７から出力された夫々の映像信号と音声信号は、次の出力切替回路８に供給される。出力切替回路８では、入力された２種類の映像信号と音声信号から一方を選択するか、若しくは内蔵されているミュート用の黒信号無音声信号を選択し、出力線９と同１０を経てテレビジョン受信機を構成する他の回路（図示せず）に供給される。
また、ＣＰＵ４は、ソフトウエアプログラムを内蔵しており、使用者のキー入力や受信状況に応じて各種の制御信号を生成し、同図に示す各ブロックに供給する。
【００１９】
次に、使用者がチャンネルアップキーを操作したときの動作について、図２を併用して説明する。同図において、（ａ）はアップキーの操作を、（ｂ）は表示画面の状態を、（ｃ）はＢＳデジタル受信部の動作を、（ｄ）は地上デジタル受信部の動作を表している。
【００２０】
図２では、まず、（ａ）アップキーの操作で選局１が押されるまでの期間は、（ｃ）ＢＳデジタル受信部はＢＳデジタル放送のＢＳ１０１ｃｈを受信し、図１の出力切替回路８はＭＰＥＧデコーダ（１）６からのＢＳデジタル放送の映像音声信号を選択して、（ｂ）画面表示のようにＢＳ１０１ｃｈの画像を表示している状態を示している。
【００２１】
次いで、選局１が押されると、（ｂ）画面表示はミュート期間になり、出力切替回路８は前記ミュート用の黒信号を選択して画面を黒表示にすると共に、（ｃ）ＢＳデジタル受信部は１つ上のチャンネルであるＢＳ１０２ｃｈの受信に移り、同時に（ｄ）地上デジタル受信部は地上０１１ｃｈの受信を始める。そして、受信が安定する１〜２秒後に出力切替回路８はミュートを解除して地上０１１ｃｈからの映像音声信号を選択して表示する。
【００２２】
なお、上記の受信チャンネルの切替えや出力信号の選択等は、内蔵している受信のためのソフトウエアプログラムに応じてＣＰＵ４が各ブロックに制御信号を供給して行われるものである。
【００２３】
次いで、アップキーが継続して押されたままのときは、上記表示を所定の時間（例えば１秒間）行った後に選局２に移る。又、アップキーが押されていないときは、そのまま上記の表示を続け、次にアップキーが押されたら選局２に移る。
【００２４】
次いで選局２に移ると、出力切替回路８はＢＳ１０２ｃｈからの映像音声信号を選択するように切替わる。したがって、（ｂ）画面表示は地上０１１ｃｈからＢＳ１０２ｃｈの画面に瞬時に切替わる。そして、同時に（ｄ）地上デジタル受信部の動作は、チャンネルを１つ上にして地上０２１ｃｈの受信に移る。
【００２５】
次いで、アップキーが継続して押されたままのときは、上記表示を所定の時間行った後に選局３に移る。又、アップキーが押されていないときは、そのまま上記の表示を続け、次にアップキーが押されたら選局３に移る。
【００２６】
次いで選局３に移ると、出力切替回路８は地上０２１ｃｈからの映像音声信号を選択する。したがって、（ｂ）画面表示はＢＳ１０２ｃｈから地上０２１ｃｈの画面に瞬時に切替わる。そして、同時に（ｃ）ＢＳデジタル受信部の動作は、１つ上のチャンネルであるＢＳ１０３ｃｈの受信に移る。
【００２７】
以後は同様に、図２の選局４〜選局７の期間に示すように、選局が移るごとに交互に一方のデジタル受信部が１つ上のチャンネルに切替わり、同時に、出力切替回路８は受信チャンネルが切替わらない方の映像音声を選択して表示するように動作する。
【００２８】
以上詳述したように、本発明に係るテレビジョン受信機の実施例によれば、ＢＳデジタル放送と地上デジタル放送とに対応した２つのチューナ部を内蔵し、両チューナ部を同時に動作させ、受信したデジタル放送信号から夫々映像音声信号を得る回路と、どちらかの映像音声信号を選択する切替回路を設ける構成にすることにより、使用者がチャンネルアップキーを操作してチャンネルを連続的に切替えたときに、受信チャンネルの切替えと出画の選択切替えとを交互に行うことで、切替え直後の表示画面を黒画面にすることなく、次々と受信した画面を表示できるもので、これにより使用者にストレスのない軽快な操作感を与えることが可能となる。
【００２９】
なお、本実施例では、図２を用いてチャンネルアップの方向のみ説明したが、チャンネルダウンの方向でも同様の構成で効果が得られることは明白である。
又、本実施例では、チャンネルアップキー操作で選局１の時点から２つのデジタル受信部を動作する構成としたが、これに限ることなく、常時２つのデジタル受信部を動作させておくことで、選局１が押されたときに、もう一方のデジタル受信部の映像音声信号に切替えるようにすることで、本実施例にある選局１直後のミュート期間をなくすことができることは当業者において容易に分ることである。
【図面の簡単な説明】
【００３０】
【図１】本発明に係るテレビジョン受信機の一実施例を示すブロック図である。
【図２】本発明の実施例において、チャンネルアップキーを操作したときの画面表示と受信機内部の動作を示した図である。
【図３】従来のデジタル放送受信機でチャンネルアップキーを操作したときの画面表示と受信機内部の動作を示した図である。
【符号の説明】
【００３１】
１…ＢＳデジタルＮＩＭ（ＮＩＭ：Network Interface Module）
２…地上デジタルＮＩＭ
３…ＴＳデコーダ（１）
４…ＣＰＵ
５…ＴＳデコーダ（２）
６…ＭＰＥＧデコーダ（１）
７…ＭＰＥＧデコーダ（２）
８…出力切替回路
９，１０…出力線
【図１】
2006270369.tif 000003
【図２】
2006270369.tif 000004
【図３】
2006270369.tif 000005